【手続補正書】
【提出日】平成16年10月13日(2004.10.13)
【手続補正１】
【補正対象書類名】特許請求の範囲
【補正対象項目名】全文
【補正方法】変更
【補正の内容】
【特許請求の範囲】
【請求項１】
（ａ）複数のフローセルをその中に含むマニホールド本体であって、各フローセルにより、当該フローセルを通る液体流路が提供されるマニホールド本体と、
（ｂ）複数のプローブであって、各プローブが、上記マニホールド本体の内部に少なくとも一部が配置された先端、この先端の内部に配置された光ファイバー入力ライン、および上記先端の内部に配置された光ファイバー出力ラインを含み、各光ファイバー入力ラインおよび光ファイバー出力ラインは上記フローセルの対応する１つと連絡している複数のプローブと、
を含む、サンプル測定において使用されるマニホールド装置。
【請求項２】
各プローブが、上記フローセルの１つを構成する取り外し可能な浸漬プローブを含む、請求項１に記載のマニホールド装置。
【請求項３】
（ａ）各プローブが、上記フローセルの内部に面する光反射面を含み、
（ｂ）各光ファイバー入力ラインの終端に上記プローブにおける第１の光ファイバー末端があり、この第１の光ファイバー末端がそれへの光学的伝送のために上記光反射面に関してアライメントされており、
（ｃ）各光ファイバー出力ラインの終端に上記プローブにおける第２の光ファイバー末端があり、この第２の光ファイバー末端がそれからの光学的伝送のために上記光反射面に関してアライメントされており、
（ｄ）各プローブにおいて対応する各対の光ファイバー入力ラインおよび光ファイバー出力ラインによって提供される光路が、上記第１の光ファイバー末端から上記フローセルを通って導かれ、上記光反射面から反射して、上記第２の光ファイバー末端に導かれる、
請求項１に記載のマニホールド装置。
【請求項４】
各光ファイバー入力ラインおよび光ファイバー出力ラインにより、上記入力ラインの末端から上記出力ラインの末端への大略的に液体流路を横切る、上記対応するフローセルを通る光路が提供される、請求項１に記載のマニホールド装置。
【請求項５】
上記マニホールド本体が溶解試験装置に据え付けられている、請求項１または４に記載の装置。
【請求項６】
（ａ）試験媒体を保持するための複数の試験容器と、
（ｂ）複数のフローセルであって、このフローセルを通過するそれぞれの光路およびそれぞれの流路を規定し、上記試験容器から離れて位置する複数のフローセルと、
（ｃ）較正媒体を保持するための較正容器と、
（ｄ）１つまたは複数の上記試験容器から１つまたは複数のそれぞれのフローセルに試験媒体を選択的に移すための、そして代りに、較正媒体を２つ以上の上記フローセルに同時に移すための流体分配システムと、
を含む溶解試験システム。
【請求項７】
溶解試験装置を含み、上記試験容器および上記フローセルが上記溶解試験装置に配置されている、請求項６に記載のシステム。
【請求項８】
それぞれのフローセルと連絡する複数の光入力ファイバーと、それぞれのフローセルと連絡する複数の光出力ファイバーとを含む、請求項６に記載のシステム。
【請求項９】
マニホールドを含み、このマニホールドが上記フローセルと、少なくとも一部が上記マニホールドの内部に延び、それぞれのフローセルと連絡する複数のプローブとを有し、上記光入力ファイバーの１つおよび光出力ファイバーの対応する１つが各プローブの内部に延びている、請求項８に記載のシステム。
【請求項１０】
上記フローセルを含むマニホールドを有し、各光入力ファイバーおよび対応する光出力ファイバーが、それぞれのフローセルを通過する光路を提供するために対向する関係で上記マニホールドに取り付けられている、請求項８に記載のシステム。
【請求項１１】
上記試験容器とマニホールドとを支持する溶解試験装置を含み、上記マニホールドが上記フローセルを有し、かつ上記溶解試験装置に対して取り付けられている、請求項６に記載のシステム。
【請求項１２】
上記流体分配システムが、上記試験容器からそれぞれのフローセルまでに規定される複数のサンプリング流路と、上記較正容器からそれぞれのフローセルまでに規定される複数の較正流路との間を選択的に切り換えるための複数の弁を含む、請求項６に記載のシステム。
【請求項１３】
上記流体分配システムが、それぞれの試験容器と連絡する複数の試験媒体サンプリングラインと、上記較正容器と連絡する複数の較正媒体サンプリングラインと、それぞれの試験媒体サンプリングラインとフローセルとの間の連絡、そして代りに、それぞれの較正媒体サンプリングラインとフローセルとの間の連絡を選択的に提供する複数の第１の弁と、上記較正容器と連絡する複数のバイパスラインと、それぞれのフローセルと試験容器との間の連絡、そして代りに、それぞれのフローセルと上記試験容器をバイパスするためのバイパスラインとの間の連絡を選択的に提供する複数の第２の弁とを含む、請求項６に記載のシステム。
【請求項１４】
（ａ）複数の容器を支持するためのフレームと、
（ｂ）上記フレームによって支えられる複数のフローセルと、
（ｃ）１つまたは複数のそれぞれの容器から上記フローセルの１つまたは複数に媒体を移すための複数の媒体サンプリングラインと、
（ｄ）光学シグナルを上記フローセルの１つまたは複数に伝えるための、それぞれのフローセルと連絡する複数の光ファイバー入力ラインと、
（ｅ）光学シグナルを、上記フローセルの１つまたは複数から、上記フローセルに対して離れて配置された検出器へと伝えるための、それぞれのフローセルと連絡する複数の光ファイバー出力ラインと、
を含む溶解試験装置。
【請求項１５】
媒体をそれぞれのフローセルから１つまたは複数の容器に移すための複数の媒体戻りラインを含む、請求項１４に記載の装置。
【請求項１６】
上記フレームに取り付けられ、上記複数のフローセルを含むマニホールドを含む、請求項１４に記載の装置。
【請求項１７】
上記マニホールドが、マニホールド本体と、このマニホールド本体の中に少なくとも一部が配置されている複数のプローブとを含み、各プローブがそれぞれのフローセルと流体的に連絡しており、それぞれの光ファイバー入力ラインおよび光ファイバー出力ラインが、上記それぞれのフローセルと光学的に連絡する上記プローブの中に延びている、請求項１６に記載の装置。
【請求項１８】
各光ファイバー入力ラインおよび対応する光ファイバー出力ラインが、それぞれのフローセルを通る光路を提供するために対向する関係で上記マニホールドに取り付けられている、請求項１６に記載の装置。
【請求項１９】
サンプルに対する溶解試験を行うための方法であって、
（ａ）複数の試験容器および複数のフローセルが取り付けられている溶解試験装置を設けることであって、上記フローセルは、上記試験容器の外部に位置するマニホールドの内部に配置されており、上記マニホールドは本体部および複数のプローブを含み、各プローブが、上記本体部の内部に少なくとも一部が配置された先端、この先端の内部に配置された光ファイバー入力ライン、および上記先端の内部に配置された光ファイバー出力ラインを含むものと、
（ｂ）分析物を含有する流体を、複数の試験媒体サンプルラインを介してそれぞれの試験容器から、対応するフローセルに移すことと、
（ｃ）各フローセルにおいて当該流体の成分の光学的測定を行うために、それぞれの光ファイバー入力ラインおよび光ファイバー出力ラインを使用して上記フローセルを通過させて光を伝えることと、
を含む方法。
【請求項２０】
光を伝えた後、複数の試験媒体戻りラインを介して上記それぞれの試験容器に流体を戻すことを含む、請求項１９に記載の方法。
【請求項２１】
較正流体を較正容器から各フローセルに同時に移すことを含む、請求項１９に記載の方法。
【請求項２２】
上記マニホールド本体は複数の開口部を有し、各プローブが上記プローブ開口部の対応する１つから延びている、請求項１に記載のマニホールド装置。
【請求項２３】
上記プローブが上記マニホールド本体から取り外し可能である、請求項２２に記載のマニホールド装置。
【請求項２４】
上記マニホールド本体は溶解試験装置に対して取り付けられている、請求項１に記載のマニホールド装置。
【請求項２５】
各プローブが上記フローセルの対応する１つを少なくとも部分的に規定している、請求項１に記載のマニホールド装置。
【請求項２６】
複数の液体流入ラインおよび複数の液体流出ラインを含み、各液体流入ラインおよび対応する液体流出ラインが、上記フローセルを通る上記液体流路を少なくとも部分的に規定するためにそれぞれのフローセルと連絡している、請求項１に記載の装置。
【請求項２７】
較正媒体を上記フローセルの１つまたは複数に同時に選択的に移し、かつ、上記１つまたは複数のフローセルに対応する上記容器をバイパスするための較正システムを含む、請求項１４に記載の装置。
【手続補正２】
【補正対象書類名】明細書
【補正対象項目名】００５４
【補正方法】変更
【補正の内容】
【００５４】
本発明の１つの実施形態によれば、フローセルマニホールドブロック１５０（図２）は、複数の浸漬プローブまたは類似する設計の光ファイバープローブを協働的に収容するために適合している。次に図３を参照すると、従来の設計の浸漬プローブの一例（これは全体がＤＰと表される）が背景として例示されている。従来の使用では、浸漬プローブＤＰは、その先端１２１の下部部分が、試験容器Ｖによって保持される媒体に沈められ、それにより、試験容器Ｖにおける吸光度測定を直接的に可能にするように、試験容器Ｖの中に挿入される。浸漬プローブＤＰは、典型的には、溶融シリカまたは溶融石英のレンズまたはシール１２５とミラー１２７のような適切な光反射面との間のすき間によって規定されるフローセル１２３または類似するサンプル標的区域を含む。浸漬プローブＤＰは、光源１３２および検出手段（フォトダイオード増幅器／検出器１３４など）を含む分光光度計１３０と一緒に作動する。第１の光伝送光ファイバーケーブル１３６により、分光光度計１３０とガラスシール１２５との間がつながれる。第２の光戻り光ファイバーケーブル１３８は、ガラスシール１２５と分光光度計１３０との間をつなぎ、通常、干渉フィルター１４１または類似する構成部品を含む。使用の際、光源１３２から放出された光ビームが、矢印Ａの方向に沿ってフローセル１２３に第１の光ファイバーケーブル１３６によって導かれる。この光ビームは、フローセル１２３に存在する媒体を通過し、ミラー１２７によって反射し、その結果、矢印Ｂによって示される方向に沿って第２の光ファイバーケーブル１３８に向きが変えられる。その後、光ビームは干渉フィルター１４１を通過し、そして、シグナルが検出器１３４によって処理される分光光度計１３０に戻される。